(57)【特許請求の範囲】
【請求項１】
付香組成物であって、
ａ）式
【化１】
0006671384.tif 000032
（式中、波線は前記Ｐと硫黄原子との間の結合の位置を示し；
Ｐは、式（Ｐ−１）〜（Ｐ−９）の基：
【化２】
0006671384.tif 000033
（式中、波線は上記で示した意味を有し、点線は単結合または二重結合を表し、かつＲ９は水素原子またはメチル基である）
を、それらの異性体のうちいずれか１つの形で表し；かつ
Ｒは８〜１５個の炭素原子を有する直鎖状または分枝鎖状のアルキル基を表し、任意に硫黄原子に直接連結されないカルボン酸官能基を含む）
の少なくとも１つのβ−チオカルボニルプロフレグランス誘導体；および
ｂ）−  非環式モノテルペン誘導体；および／または
−  ムスク化合物
の中から選択される少なくとも１つの香料成分
を含み、
前記成分ａ）およびｂ）が、１／１〜１／４５００の間に含まれるａ）／ｂ）のｗ／ｗ（質量対質量）比で存在する、前記付香組成物。
【請求項２】
前記香料成分ｂ）が非環式モノテルペン誘導体の中から選択されることを特徴とする、請求項１記載の付香組成物。
【請求項３】
式（Ｉ）の前記β−チオカルボニルプロフレグランス誘導体が、Ｐが式（Ｐ−１）、（Ｐ−２）、（Ｐ−５）または（Ｐ−６）の基である誘導体であることを特徴とする、請求項１または２記載の付香組成物。
【請求項４】
式（Ｉ）の前記β−チオカルボニルプロフレグランス誘導体が３−（ドデシルチオ）−１−（２，６，６−トリメチルシクロヘキサ−３−エン−１−イル）ブタン−１−オンまたは３−（ドデシルチオ）−１−（２，６，６−トリメチルシクロヘキサ−２−エン−１−イル）ブタン−１−オンまたは４−（ドデシルチオ）−４−（２，６，６−トリメチルシクロヘキサ−２−エン−１−イル）ブタン−２−オン、それらの混合物であることを特徴とする、請求項１から３までのいずれか１項記載の付香組成物。
【請求項５】
前記非環式付香モノテルペン誘導体が
・ゲラニオール、ネロール、シトロネロール、ジヒドロリナロール、リナロール、エチルリナロール、ミルセノール、ジヒドロミルセノール；
・シトラール、３−Ｍｅ−シトラール、シトロネラール、ゲラニアール、ヒドロキシシトロネラール；
・酢酸シトロネリル、酢酸リナリル、酢酸ゲラニル、プロピオン酸リナリル、酢酸ネリル、カプロン酸リナリル、チグリン酸ゲラニル；
・リナリルメチルエーテル；および／または
・シトロネリルニトリル
の中から選択され、
前記化合物は、その立体異性体のいずれか１つの形またはそれらの混合物の形であることを特徴とする、請求項１から４までのいずれか１項記載の付香組成物。
【請求項６】
前記非環式付香モノテルペン誘導体が
・シトロネロール、ジヒドロリナロール、リナロール；
・３−Ｍｅ−シトラール、シトロネラール；
・酢酸シトロネリル、酢酸リナリル；および／または
・シトロネリルニトリル
の中から選択され、
前記化合物は、その立体異性体のいずれか１つの形またはそれらの混合物の形であることを特徴とする、請求項５記載の付香組成物。
【請求項７】
前記付香組成物が、前記ムスク化合物として
−  （１Ｓ，１’Ｒ）−２−［１−（３’，３’−ジメチル−１’−シクロヘキシル）エトキシカルボニル］メチルプロパノアート、（１Ｓ，１’Ｒ）−２−［１−（３’，３’−ジメチル−１’−シクロヘキシル）エトキシ］−２−メチルプロピルプロパノアート、２−［１−（３，３−ジメチルシクロヘキシル）エトキシ］−２−メチルプロピルシクロプロパンカルボキシラート、２−［（３，５−ジメチル−３−ヘキセン−２−イル）オキシ］−２−メチルプロピルシクロプロパンカルボキシラート、１−［（１Ｒ）−３，３−ジメチルシクロヘキシル］エチルエチルプロパンジオアート； 
−  １−オキサ−１２−シクロヘキサデセン−２−オン、オキサシクロヘキサデカン−２−オン、１，４−ジオキサシクロヘプタデカン−５，１７−ジオン、３−メチル−（４／５）−シクロペンタデセノン、ムスコン、（Ｚ）−４−シクロペンタデセン−１−オン、９−シクロヘプタデセン−１−オンおよび１，３，４，６，７，８−ヘキサヒドロ−４，６，６，７，８，８−ヘキサメチル−シクロペンタ−［Ｇ］イソクロメン
からなる群から選択される少なくとも１つの化合物を含むことを特徴とする、請求項１から６までのいずれか１項記載の付香組成物。
【請求項８】
任意成分として
−  メチル２−（３−オキソ−２−ペンチルシクロペンチル）アセテート、（＋）−メチル（１Ｒ）−シス−３−オキソ−２−ペンチル−１−シクロペンタンアセテート、サリチル酸ベンジル、テトラヒドロ−２−イソブチル−４−メチル−４（２Ｈ）−ピラノール、３−ベンゾジオキソール−５−プロピオンアルデヒド； 
−  クマリン、および１−（オクタヒドロ−２，３，８，８−テトラム−２−ナフタレニル）−１−エタノン
からなる群から選択される１つ以上の付香成分を更に含み、
前記化合物が、その立体異性体のいずれか１つの形またはそれらの混合物の形であることを特徴とする、請求項１から７までのいずれか１項記載の付香組成物。
【請求項９】
前記任意成分が、０〜４の間に含まれる、任意成分）／ｂ）のｗ／ｗ比で存在し得ることを特徴とする、請求項８記載の付香組成物。
【請求項１０】
付香組成物であって、
ｉ）付香成分として、請求項１から９までのいずれか１項に規定された付香組成物；
ｉｉ）香料担体および香料ベースからなる群から選択される少なくとも１つの成分；および
ｉｉｉ）任意に少なくとも１つの香料補助剤
を含む、前記付香組成物。
【請求項１１】
付香組成物または付香された消費者製品の匂い特性を増強、強化、調節、改善または増加させる方法であって、前記付香組成物または消費者製品に有効量の請求項１から９までのいずれか１項記載の付香組成物を添加することを含む、前記方法。
【請求項１２】
２０ｗ／ｗ％未満の界面活性剤の全量を有する付香消費者製品であって、前記パーセンテージが前記付香消費者製品の配合物の質量に対するものであり、付香成分として、請求項１から８までのいずれか１項に規定された付香組成物を含む、前記付香消費者製品。
【請求項１３】
前記界面活性剤の全量が６ｗ／ｗ％未満であることを特徴とする、請求項１２記載の付香消費者製品。
【請求項１４】
前記付香消費者製品が香料、消臭剤または制汗剤または化粧品組成物であることを特徴とする、請求項１２または１３記載の付香消費者製品。
【請求項１５】
前記付香消費者製品が、香水、オードトワレ、オードパルファン、コロン、ボディスプラッシュ、アフターシェーブローションまたはボディスプレー、ボディミストであることを特徴とする、請求項１４記載の付香消費者製品。
【発明の詳細な説明】
【技術分野】
【０００１】
技術分野
本発明は、香料の分野に関するものであり、より正確には、本発明は、香りの強さの改善されたインパクトを示し、かつ／または香りの特性を調整する、付香組成物およびそれに関連する消費者製品に関する。この付香組成物は、β−チオカルボニルプロフレグランス誘導体および特定の付香テルペン誘導体を含む。
【０００２】
従来技術
上記のとおり、本発明は、全体的な香りの強さ、特にトップノートおよび／またはボトムノート（トップノートおよびボトムノートは当該技術分野で周知の用語である）、特に特定の付香成分と関連するものに影響を及ぼすことを目的とする。
【０００３】
香料のいわゆる「トップノート」は、香料を適用した直後に、および全体的に最初の数時間にわたって知覚されて、香料に対する消費者の最初の印象を形成する付香成分であり、したがって性能および製品の販売において非常に重要である。そのため、トップノートの影響力を改善することができる組成を有することは極めて興味深い。
【０００４】
香料のいわゆる「ボトムノート」は、香料の適用後、長時間にわたって知覚され、消費者に長く残る香料の印象を形成する付香成分であり、したがって製品の性能および販売において非常に重要である。そのため、ボトムノートの影響力を改善することができる組成を有することは極めて興味深い。
【０００５】
本明細書で以下に記載される式（Ｉ）のβ−チオカルボニルプロフレグランス誘導体は、国際公開第０３／０４９６６６号（WO 03/049666）に記載されているが、これらの誘導体は当業者に知られており、その引用文献に例示され、数時間後に顕著なものとなる放出プロファイルを有するものである。そのため、香料をゆっくりと放出することの他に、この化合物自体がいくつかのトップノートの知覚に直ちに影響を及ぼすことが判明したのは全く予想外であった。
【０００６】
発明の詳細な説明
本発明は、香りの強さおよび影響力、特に利用の最初の数時間におけるトップノートの強さおよび影響力を相乗作用的に改善することができる付香組成物に関する。前記付香組成物は、特にファインフレグランスおよび／またはボディケア／化粧品用途に適している。
【０００７】
従って、本発明の第１の対象は、付香組成物であって、
ａ）式
【化１】
0006671384.tif 000002
（式中、波線は前記Ｐと硫黄原子との間の結合の位置を示し；
Ｐは、式（Ｐ−１）〜（Ｐ−９）の基：
【化２】
0006671384.tif 000003
（式中、波線は上記で示した意味を有し、点線は単結合または二重結合を表し、かつＲ９は水素原子またはメチル基である）
を、それらの異性体のうちいずれか１つの形で表し；かつ
Ｒは８〜１５個の炭素原子を有する直鎖状または分枝鎖状のアルキル基を表し、任意に硫黄原子に直接連結されないカルボン酸官能基を含む）
の少なくとも１つのβ−チオカルボニルプロフレグランス誘導体；および
ｂ）−  非環式モノテルペン誘導体；および／または
−  ムスク化合物
の中から選択される少なくとも１つの香料成分
を含むか、またはこれらからなり、
前記成分ａ）およびｂ）は、１／１〜１／４５００の間に含まれるａ）／ｂ）のｗ／ｗ（質量対質量）比で存在する、前記付香組成物である。
【０００８】
本発明の実施形態によれば、特に高く評価される実施形態はトップノートで観察される効果であり、したがって成分ｂ）は非環式モノテルペン誘導体およびムスク化合物の中から選択することができ、ムスク化合物は任意の成分である。
【０００９】
本発明の実施形態によれば、ａ）／ｂ）のｗ／ｗ（質量対質量）比は、１／１〜１／４５０の間、またはさらに１／２〜１／１００の間、または１／３〜１／８０の間、または１／３〜１／２５の間に含まれ得る。
【００１０】
本発明の実施形態によれば、式（Ｉ）の前記β−チオカルボニルプロフレグランス誘導体は、Ｐが上記で定義された、式（Ｐ−１）、（Ｐ−２）、（Ｐ−５）または（Ｐ−６）の基である誘導体である。特に、前記Ｐは、Ｒ９が水素原子を表す式（Ｐ−１）または（Ｐ−２）の基であっていてよい。
【００１１】
本発明の実施形態によれば、前記Ｒは、硫黄原子に直接結合されていないカルボン酸官能基を任意に含む８〜１５個の炭素原子を有する直鎖状アルキル基を表す。特に、前記Ｒは１０〜１４個の炭素原子を有する直鎖状アルキル基、特にｎ−ドデシル基であってよい。
【００１２】
本発明の実施形態によれば、式（Ｉ）のこのようなβ−チオカルボニルプロフレグランス誘導体の非限定的な例として、以下のものを挙げることができる：３−（ドデシルチオ）−１−（２，６，６−トリメチルシクロヘキサ−３−エン−１−イル）ブタン−１−オン（β−ダマスコン由来、同じく公知であり、Ｈａｌｏｓｃｅｎｔ（登録商標）Ｄと呼ばれる）または３−（ドデシルチオ）−１−（２，６，６−トリメチルシクロヘキサ−２−エン−１−イル）ブタン−１−オン（β−ダマスコン由来）または４−（ドデシルチオ）−４−（２，６，６−トリメチルシクロヘキサ−２−エン−１−イル）ブタン−２−オン（イオノン由来、同じく公知であり、Ｈａｌｏｓｃｅｎｔ（登録商標）Ｉと呼ばれる）、それらの混合物。
【００１３】
明確性のために、用語「非環式付香モノテルペン誘導体」またはこれに類するものは、本明細書では、非環式であり、モノテルペン化合物のアルコール、アルデヒド、ケトン、エステル、エーテル、またはニトリルであり、かつ付香調製物または組成物において快い効果を付与するのに有用な全ての付香成分を意味する。換言すれば、そのようなものとして見なされるべき、かかる「非環式付香モノテルペン誘導体」は、単に匂いを有するものではなく、組成物の匂いを積極的な、または心地良い方法で付与または変更することができるものとして当業者によって認識されなければならない。香料分野の当業者は、どの化合物がこのような定義に含まれるか非常によく知っており、なお、これらの非環式付香モノテルペン誘導体の多くは、いずれの場合も参考文献、例えばS. Arctanderによる書籍、Perfume and Flavor Chemicals, 1969, Montclair, New Jersey, USA、またはその最新版、または同様の性質の他の論文、ならびに香料分野の豊富な特許文献に列記されている。
【００１４】
本発明の実施形態によれば、前記非環式付香モノテルペン誘導体は、アルコール、アルデヒド、アセテートまたはニトリル誘導体、特にアルコール、アルデヒド、アセテートであっていてよい。
【００１５】
本明細書に記載された「非環式付香モノテルペン誘導体」は、調香師によって、いわゆる「トップノート」に属するものとして見なされており、これらは香料を適用した直後に知覚され、香料に対する最初の印象を形成し、そのため製品の販売において非常に重要である。したがって、トップノートの影響力を改善する組成を有することは極めて興味深い。
【００１６】
本発明の実施形態によれば、このような非環式付香モノテルペン誘導体の非限定的な例として、以下のものが挙げられ得る：
・ゲラニオール、ネロール、シトロネロール、ジヒドロリナロール、リナロール、エチルリナロール、ミルセノール、ジヒドロミルセノール；
・シトラール、３−Ｍｅ−シトラール、シトロネラール、ゲラニアール、ヒドロキシシトロネラール；
・酢酸シトロネリル、酢酸リナリル、酢酸ゲラニル、プロピオン酸リナリル、酢酸ネリル、カプロン酸リナリル、チグリン酸ゲラニル；
・リナリルメチルエーテル；および／または
・シトロネリルニトリル；
前記化合物は、その立体異性体のいずれか１つの形またはそれらの混合物の形であり；下線が引かれた化合物は特に高く評価されるものである。
【００１７】
これらの非環式付香モノテルペン誘導体のいくつかは天然化合物であり、かつ天然の精油の形でも配合することができるが、当然ながら、ａ）／ｂ）の比を計算する目的での、かかる化合物の量についてのみ考慮される。
【００１８】
明確性のために、用語「ムスク化合物」またはこれに類するものは、本明細書では、当業者によってムスク系統の付香成分であると認識される全ての付香成分を意味する。ムスク系統は非常によく確立された匂いの系統であり、文献に広く記載されている。換言すれば、そのようなものとして見なされるべき、かかる「ムスク化合物」は、単にムスク調の匂いを有するものではなく、組成物の匂いを積極的な、または心地良い方法で付与または変更することができるものとして当業者によって認識されなければならない。香料分野の当業者は、どの化合物がこのような定義に含まれるか非常によく知っており、なお、これらの非環式付香モノテルペン誘導体の多くは、いずれの場合も参考文献、例えばS. Arctanderによる書籍、Perfume and Flavor Chemicals, 1969, Montclair, New Jersey, USA、またはその最新版、または同様の性質の他の論文、ならびに香料分野の豊富な特許文献に列記されている。
【００１９】
本発明の実施形態によれば、前記ムスク化合物は、ケトン、およびアセタール、またはエステルまたはラクトン誘導体であってもよい。
【００２０】
本明細書に記載される「ムスク化合物」は、調香師によって、いわゆる「ボトムノート」に属するものとして見なされており、これらは香料の適用後、長時間知覚され、香料に対して長く残る印象を形成し、そのため製品の販売において非常に重要である。したがって、ボトムノートの影響力を変更／調整する組成を有することは極めて興味深い。
【００２１】
本発明の実施形態によれば、かかるムスク化合物の非限定的な例として、以下のものを挙げることができる：
−  （１Ｓ，１’Ｒ）−２−［１−（３’，３’−ジメチル−１’−シクロヘキシル）エトキシカルボニル］メチルプロパノアート（Ｒｏｍａｎｄｏｌｉｄｅ（登録商標）としても知られる）、（１Ｓ，１’Ｒ）−２−［１−（３’，３’−ジメチル−１’−シクロヘキシル）エトキシ］−２−メチルプロピルプロパノアート（Ｈｅｌｖｅｔｏｌｉｄｅ（登録商標）としても知られる）、２−［１−（３，３−ジメチルシクロヘキシル）エトキシ］−２−メチルプロピルシクロプロパンカルボキシラート（Ｓｅｒｅｎｏｌｉｄｅ（登録商標）としても知られる）、２−［（３，５−ジメチル−３−ヘキセン−２−イル）オキシ］−２−メチルプロピルシクロプロパンカルボキシラート（Ｓｅｒｅｎｏｌｉｄｅ（登録商標）しても知られる）、１−［（１Ｒ）−３，３−ジメチルシクロヘキシル］エチルエチルプロパンジオアート（Ａｐｐｌｅｌｉｄｅとしても知られる）；および／または
−  １−オキサ−１２−シクロヘキサデセン−２−オン（Ｈａｂａｎｏｌｉｄｅ（登録商標）としても知られる）、オキサシクロヘキサデカン−２−オン（Ｅｘａｌｔｏｌｉｄｅ（登録商標）としても知られる）、１，４−ジオキサシクロヘプタデカン−５，１７−ジオン（Ａｓｔｒｏｔｏｎｅとしても知られる）、３−メチル−（４／５）−シクロペンタデセノン（Ｍｕｓｃｅｎｏｎｅ（登録商標）としても知られる）、ムスコン、（Ｚ）−４−シクロペンタデセン−１−オン（Ｅｘａｌｔｅｎｏｎｅ（登録商標）としても知られる）、９−シクロヘプタデセン−１−オンおよび／または１，３，４，６，７，８−ヘキサヒドロ−４，６，６，７，８，８−ヘキサメチル−シクロペンタ−［Ｇ］イソクロメン（Ｇａｌａｘｏｌｉｄｅ（登録商標）としても知られる）
前記化合物は、その立体異性体のいずれか１つの形またはそれらの混合物の形であり、下線が引かれた化合物は特に高く評価されるものである。
【００２２】
本発明の実施形態によれば、付香組成物は、任意成分として、いくつかの他の付香成分をさらに含んでいてよく、これらは驚くべきことに知覚された相乗作用にも寄与することが判明した。前記任意成分は、以下のものの中から選択され得る：
−  メチル２−（３−オキソ−２−ペンチルシクロペンチル）アセテート（例えば、Ｈｅｄｉｏｎｅ（登録商標）としても知られる）、（＋）−メチル（１Ｒ）−シス−３−オキソ−２−ペンチル−１−シクロペンタンアセテート（例えば、Ｐａｒａｄｉｓｏｎｅ（登録商標）としても知られる）、サリチル酸ベンジル、テトラヒドロ−２−イソブチル−４−メチル−４（２Ｈ）−ピラノール、３−ベンゾジオキソール−５−プロピオンアルデヒド（ヘリオプロパナール）；および／または
−  クマリン、および／または１−（オクタヒドロ−２，３，８，８−テトラム−２−ナフタレニル）−１−エタノン（Ｉｓｏ  Ｅ（登録商標）Ｓｕｐｅｒとしても知られる）；
前記化合物は、その立体異性体のいずれか１つの形またはそれらの混合物の形であり、下線が引かれた化合物は特に高く評価されるものである。
【００２３】
前記任意の成分は、０〜４／１の間に含まれる、またはさらに１／１０〜２／１の間に含まれる、任意成分）／ｂ）のｗ／ｗ（質量対質量）比で存在し得る。
【００２４】
上記で述べたように、上記の付香組成物は、適用の最初の数時間にわたって知覚される、全体的な香りの強さ、特にトップノートの増加を示す。したがって、本発明の別の対象は、本発明の付香組成物の付香成分としての使用である。特に、換言すれば、付香組成物または付香された消費者製品の匂い特性（特に強さおよび時間プロファイル）を増強、強化、調節、改善または増加させる方法は、前記組成物または消費者製品に有効量の本発明による付香組成物を添加することを含む。例えば、前記組成物の使用によってもたらされる全体的な効果は、このようにブルーミング効果である。
【００２５】
「付香組成物の使用」とは、本明細書では、前記組成物を含有し、かつ香料産業において有効成分として有利に使用することができるあらゆる組成物の使用であると理解されるべきである。
【００２６】
従って、本発明の別の対象は、付香組成物であって、
ｉ）付香成分として、上記に定義した本発明の付香組成物；
ｉｉ）香料担体および香料ベースからなる群から選択される少なくとも１つの成分；および
ｉｉｉ）任意に少なくとも１つの香料補助剤
を含む、前記付香組成物である。
【００２７】
「香料担体」とは、本明細書では香料の観点から実質的に中性である物質、すなわち、付香成分の感覚刺激性を大きく変えない物質を意味する。前記担体は液状であってもよい。
【００２８】
液状担体としては、非限定的な例として、乳化系、すなわち溶媒および界面活性剤系、または香料で一般的に使用されている溶媒を挙げることができる。香料で頻繁に使われる溶媒の性質と種類の詳細な説明は網羅できるものではない。しかしながら、非限定的な例として、ブチレンまたはプロピレングリコール、グリセロール、ジプロピレングリコールおよびそのモノエーテル、１，２，３−プロパントリイルトリアセテート、ジメチルグルタラート、ジメチルアジペート１，３−ジアセチルオキシプロパン−２−イルアセテート、ジエチルフタレート、イソプロピルミリステート、安息香酸ベンジル、ベンジルアルコール、２−（２−エトキシエトキシ）−１−エタノ、クエン酸トリエチルまたはそれらの混合物などの溶媒を挙げることができ、これらが最も頻繁に使用される。香料担体および香料ベースの両方を含む組成物の場合、予め特定されたもの以外の適切な香料担体は、エタノール、水／エタノール混合物、リモネンまたは他のテルペン、イソパラフィン、例えば、Ｉｓｏｐａｒ（登録商標）（製造元：エクソンケミカル（Exxon Chemical））の商標で知られているもの、またはグリコールエーテルおよびグリコールエーテルエステル、例えばＤｏｗａｎｏｌ（登録商標）（製造元：ダウケミカルカンパニー（Dow Chemical Company））の商標で知られているもの、または水素化ヒマシ油、例えば、Ｃｒｅｍｏｐｈｏｒ（登録商標）ＲＨ  ４０（製造元：ＢＡＳＦ）の商標で知られているものであってもよい。
【００２９】
一般的に、「香料ベース」とは、本明細書では、少なくとも１つの付香補助成分を含む組成物を意味する。
【００３０】
また、「付香補助成分」とは、本明細書では快い効果を与えるために付香調製物または組成物に使用される化合物を意味する。換言すれば、付香するものであると見なされるべき、このような補助成分は、単に匂いを有するだけではなく、当業者によって、組成物の匂いを積極的な、または心地良い方法で付与または変更することができるものとして認識されなければならない。
【００３１】
ベース中に存在する付香補助成分の性質および種類は、本明細書においてこれ以上詳細な説明は行わないが、そのような説明はいずれにせよ、すべて余すことなく完全に行われるものではなく、当業者は、自身の一般的な知識に基づいて、そして意図する使用または用途および所望の感覚刺激効果に応じて、それらを選択することができる。一般的に、これらの付香補助成分は、アルコール、アルデヒド、ケトン、エステル、エーテル、アセテート、ニトリル、テルペン炭化水素、窒素または硫黄複素環式化合物および精油などの化学クラスに属し、且つ前記付香補助成分は天然または合成由来であってよい。これらの補助成分の多くは、いずれの場合も参考文献、例えばS. Arctanderによる書籍、Perfume and Flavor Chemicals, 1969, Montclair, New Jersey, USA、またはその最新版、または同様の性質の他の論文、ならびに香料分野の豊富な特許文献に列記されている。前記補助成分は、制御された方法で様々な種類の付香化合物を放出することが知られている化合物であってよいことも理解される。
【００３２】
明確性のために、前記付香補助成分は、上記で挙げられた非環式付香モノテルペン誘導体と異なるだけでなく、上記で挙げられた式（Ｉ）のβ−チオカルボニルプロフレグランス誘導体とも異なる。
【００３３】
一般的に、「香料補助剤」とは、本明細書では、色、特定の耐光性、化学的安定性等の付加的に追加される利点を付与することができる成分を意味する。付香ベースで一般的に使用される補助剤の性質および種類の詳細な説明を完全に行うことはできないが、前記成分が当業者によく知られていることは述べられるべきである。しかしながら、特定の非限定的な例として以下のものが挙げられ得る：粘度調整剤（例えば、界面活性剤、増粘剤、ゲル化剤および／またはレオロジー調整剤）、安定剤（例えば、防腐剤、酸化防止剤、熱安定剤／光安定剤および／または緩衝剤またはキレート剤、例えばＢＨＴ）、着色剤（例えば、染料および／または顔料）、防腐剤（例えば、抗菌剤または抗微生物剤または抗真菌剤または抗刺激剤）、研磨剤、皮膚冷却剤、固定剤、昆虫忌避剤、軟膏、ビタミンおよびそれらの混合物。
【００３４】
任意に使用される他の適切な香料補助剤は、第３級アミン、特に高い水溶性を有するもの、例えば、トリエタノールアミン、メチルジエチルアミン、メチルジエタノールアミン、ジメチルエタノールアミン、アルキルジエタノールアミンおよびエトキシル化アルキルジエタノールアミンであってよい。
【００３５】
さらに、本発明の付香組成物、またはそれを含む付香組成物は、香水または機能性香料などの現代香料の全ての分野、特にブルーミング効果、または数時間以内に高まる影響力／知覚を必要とする用途において有利に使用することができる。したがって、本発明の付香組成物は、トップノートの知覚／影響力（すなわち、最初の数時間における匂いの影響力）を増大させるようにブルーミング効果を必要とする用途またはブルーミング効果からの利益を得る用途に組み込むことができる。そのような用途は一般に、特に皮膚または毛髪への適用を目的としており、本発明の実施形態のいずれか１つによれば、前記付香消費者製品は、２０ｗ／ｗ％未満、１５ｗ／ｗ％未満、１０ｗ／ｗ％未満、またはさらに６ｗ／ｗ％未満もしくは１ｗ／ｗ％未満の界面活性剤の全量を有する付香消費者製品であり、パーセンテージは付香消費者製品配合物（すなわち、包装なしで）の質量に対する。
【００３６】
その結果、付香成分として、上記で定義した付香組成物を含む、２０ｗ／ｗ％未満、１５ｗ／ｗ％未満、１０ｗ／ｗ％未満、またはさらに６ｗ／ｗ％未満もしくは１ｗ／ｗ％未満の界面活性剤の全量を有する付香消費者製品も本発明の対象であり、パーセンテージは付香消費者製品配合物（すなわち、包装なしで）の質量に対する。
【００３７】
明確性のために、「付香消費者製品」とは、それが適用される表面（例えば、皮膚または毛髪）に少なくとも心地良い付香効果を送達することが期待される消費者製品を意味することが述べられるべきである。換言すれば、本発明による付香消費者製品は、機能性配合物を含むだけでなく、所望の消費者製品、例えばオードトワレに対応する、任意に付加的な利益をもたらす添加剤、および嗅覚的有効量の本発明の付香組成物を含む付香された消費者製品である。
【００３８】
付香消費者製品の構成成分の性質および種類は、本明細書においてこれ以上詳細な説明は行わないが、そのような説明はいずれにせよ、すべて余すことなく完全に行われるものではなく、当業者は、自身の一般的な知識に基づいて、そして前記製品の性質および所望の効果に応じてそれらを選択することができる。
【００３９】
本発明の実施形態のいずれか１つによれば、前記付香消費者製品は、香料（例えば、香水、オードトワレ、オードパルファン、コロン、ボディスプラッシュ、アフターシェーブローションまたはボディスプレー、ボディミスト）または消臭剤または制汗剤（例えば、ボディデオドラントスプレー）、またはさらに化粧品組成物（ボディーローション、クリームまたはジェル、シャワージェルおよびヘアケア製品を含むが、これらに限定されない）である。
【００４０】
本発明の実施形態のいずれか１つによれば、典型的には、前記香料は、６ｗ／ｗ％未満または１ｗ／ｗ％未満の界面活性剤の全量を有する付香消費者製品であり、前記消臭剤／制汗剤は１０ｗ／ｗ％未満の界面活性剤の全量を有する製品であり、かつ化粧品組成物は２０ｗ／ｗ％未満の界面活性剤の全量を有する製品である。
【００４１】
上記の付香消費者製品のいくつかは、本発明の付香組成物の成分に対する攻撃的な媒体となり得るので、例えばカプセル化によって付香組成物を早期分解から保護する必要があり得る。
【００４２】
本発明による付香組成物を様々な前述の製品または組成物中に配合することができる割合は、広い範囲の値で変動する。これらの値は、付香されるべき製品の性質および所望の嗅覚効果に依存するだけでなく、本発明による組成物が当該技術分野で頻繁に使用される付香補助成分、溶媒または添加剤と混合される際の所定の組成物中の補助成分の性質にも依存する。
【００４３】
例えば、典型的な濃度は、それらが配合される組成物の質量を基準として１質量％〜３０質量％、またはそれ以上の本発明の化合物のオーダーである。これらよりも低い濃度、例えば、０．１質量％〜２０質量％のオーダーの濃度は、この化合物が上記の様々な付香消費者製品の付香に直接適用される際に使用することができる。
【００４４】
本発明はここで以下の実施例によって更に詳細に説明される。
【００４５】
実施例１
本発明による付香組成物の調製
１）二元組成物（binary composition）
様々な付香組成物を、以下の本明細書中の説明により様々な成分を混合することによって製造した：
【００４６】
Ａ）成分ａ）を含まない配合物（対照）：
７９．５８０％  エタノール９６°
１９．４２０％  脱イオン水
１．０００％  香料原料
ここで、香料原料は、その都度、非環式付香モノテルペン誘導体である：酢酸リナリル（Ａ．１）、シトラール（Ａ．２）、シトロネロール（Ａ．３）、ヒドロキシシトロネラール（Ａ．５）、酢酸ゲラニル（Ａ．６）、リナロール（Ａ．８）、酢酸シトロネリル（Ａ．９）、シトロネラール（Ａ．１１）、シトロネリルニトリル（Ａ．１２）、メチルシトラール（Ａ．１３）、ジヒドロリナロール（Ａ．１４）、
またはムスク：Ｒｏｍａｎｄｏｌｉｄｅ（登録商標）（Ａ．１５）、Ｈｅｌｖｅｔｏｌｉｄｅ（登録商標）（Ａ．１６）、Ｅｘａｌｔｏｌｉｄｅ（登録商標）（Ａ．１７）、Ａｓｔｒｏｔｏｎｅ（登録商標）（Ａ．１８）、Ｈａｂａｎｏｌｉｄｅ（登録商標）（Ａ．１９）。
【００４７】
Ｂ）成分ａ）（Ｈａｌｏｓｃｅｎｔ（登録商標）Ｄ）を含む配合物：ａ）／ｂ）の比＝１／４．４４
７９．５８０％  エタノール９６°
１８．９７０％  脱イオン水
０．２２５％  成分ａ）
０．２２５％  トリエタノールアミン
１．０００％  香料原料＊
ここで香料原料は、その都度、次のいずれかである
−  非環式付香モノテルペン誘導体：酢酸リナリル（Ａ．１．ｉ）、シトラール（Ａ．２．ｉ）、シトロネロール（Ａ．３．ｉ）、ヒドロキシシトロネラール（Ａ．５．ｉ）、酢酸ゲラニル（Ａ．６．ｉ）、リナロール（Ａ．８．ｉ）、酢酸シトロネリル（Ａ．９．ｉ）、シトロネラール（Ａ．１１．ｉ）、シトロネリルニトリル（Ａ．１２．ｉ）、メチルシトラール（Ａ．１３．ｉ）、ジヒドロリナロール（Ａ．１４．ｉ）、または
−  ムスク：Ｒｏｍａｎｄｏｌｉｄｅ（登録商標）（Ａ．１５．ｉ）、Ｈｅｌｖｅｔｏｌｉｄｅ（登録商標）（Ａ．１６．ｉ）、Ｅｘａｌｔｏｌｉｄｅ（登録商標）（Ａ．１７．ｉ）
【００４８】
Ｃ）δダマスコンを含む配合物：
７９．５８０％  エタノール９６°
１８．９７０％  脱イオン水
０．２２５％  δダマスコン
０．２２５％  トリエタノールアミン
１．０００％  香料原料＊
ここで、香料原料は、その都度、非環式付香モノテルペン誘導体である：酢酸リナリル（Ａ．１．ｃ）、シトラール（Ａ．２．ｃ）、シトロネロール（Ａ．３．ｃ）
【００４９】
Ｄ）成分ａ）（Ｈａｌｏｓｃｅｎｔ（登録商標）Ｉ）を含む配合物：ａ）／ｂ）の比＝１／４．４４
７９．５８０％  エタノール９６°
１８．９７０％  脱イオン水
０．２２５％  成分ａ）
０．２２５％  トリエタノールアミン
１．０００％  香料原料＊
ここで、香料原料は、その都度、次のいずれかである：
−  非環式付香モノテルペン誘導体：シトラール（Ｄ．１．ｉ）、シトロネラール（Ｄ．２．ｉ）、シトロネリルニトリル（Ｄ．３．ｉ）、メチルシトラール（Ｄ．４．ｉ）、ジヒドロリナロール（Ｄ．５．ｉ）、または
−  ムスク：Ｒｏｍａｎｄｏｌｉｄｅ（登録商標）（Ｄ．６．ｉ）、Ｈｅｌｖｅｔｏｌｉｄｅ（登録商標）（Ｄ．７．ｉ）、Ｅｘａｌｔｏｌｉｄｅ（登録商標）（Ｄ．８．ｉ）、Ａｓｔｒｏｔｏｎｅ（登録商標）（Ｄ．９．ｉ）、Ｈａｂａｎｏｌｉｄｅ（登録商標）（Ｄ．１０．ｉ）
【００５０】
２）三元組成物
種々の付香組成物を、以下の本明細書の説明に従って種々の成分を混合することによって製造した：
【００５１】
Ｅ）Ｈａｌｏｓｃｅｎｔ（登録商標）ＤまたはＨａｌｏｓｃｅｎｔ（登録商標）Ｉを含まない配合物：（対照−二成分の組み合わせ）
７９．５８０％  エタノール９６°
１８．４２０％  脱イオン水
１．０００％  香料原料＊
１．０００％  香料原料＊
ここで、その都度、一方の香料原料は、非環式付香モノテルペン誘導体であり、他方の香料原料は、ムスクまたは別の非環式モノテルペンのいずれかであるか、または任意の成分である：Ｒｏｍａｎｄｏｌｉｄｅ（登録商標）＋シトロネロール（Ｅ．１）、Ｒｏｍａｎｄｏｌｉｄｅ（登録商標）＋酢酸リナリル（Ｅ．２）、Ｐａｒａｄｉｓｏｎｅ（登録商標）＋酢酸リナリル（Ｅ．３）、Ｈｅｌｖｅｔｏｌｉｄｅ（登録商標）＋酢酸リナリル（Ｅ．６）、Ｈｅｌｖｅｔｏｌｉｄｅ（登録商標）＋シトロネロール（Ｅ．７）、Ｅｘａｌｔｏｌｉｄｅ（登録商標）＋酢酸リナリル（Ｅ．８）、ゲラニオール＋酢酸リナリル（Ｅ．９）、Ｈｅｄｉｏｎｅ（登録商標）＋酢酸リナリル（Ｅ．１０）、Ｈｅｄｉｏｎｅ（登録商標）＋シトロネロール（Ｅ．１１）、サリチル酸ベンジル（Salicylate de Benzyle）＋酢酸リナリル（Ｅ．１２）
【００５２】
Ｆ）成分ａ）（Ｈａｌｏｓｃｅｎｔ（登録商標）Ｄ）を含む配合物：
ａ）／ｂ）の比＝１／４．４４
ｂ）／任意成分）の比＝１／１
７９．５８０％  エタノール９６°
１７．９７０％  脱イオン水
０．２２５％  成分ａ）
０．２２５％  トリエタノールアミン
１．０００％  香料原料＊
１．０００％  香料原料＊
ここで、その都度、一方の香料原料は、非環式付香モノテルペン誘導体であり、他方の香料原料は、ムスクまたは別の非環式モノテルペンのいずれかであるか、または任意の成分である：Ｒｏｍａｎｄｏｌｉｄｅ（登録商標）＋シトロネロール（Ｅ．１．ｉ）、Ｒｏｍａｎｄｏｌｉｄｅ（登録商標）＋酢酸リナリル（Ｅ．２．ｉ）、Ｐａｒａｄｉｓｏｎｅ（登録商標）＋酢酸リナリル（Ｅ．３．ｉ）、Ｈｅｌｖｅｔｏｌｉｄｅ（登録商標）＋酢酸リナリル（Ｅ．６．ｉ）、Ｈｅｌｖｅｔｏｌｉｄｅ（登録商標）＋シトロネロール（Ｅ．７．ｉ）、Ｅｘａｌｔｏｌｉｄｅ（登録商標）＋酢酸リナリル（Ｅ．８．ｉ）、ゲラニオール＋酢酸リナリル（Ｅ．９．ｉ）、Ｈｅｄｉｏｎｅ（登録商標）＋酢酸リナリル（Ｅ．１０．ｉ）、Ｈｅｄｉｏｎｅ（登録商標）＋シトロネロール（Ｅ．１１．ｉ）、サリチル酸ベンジル＋酢酸リナリル（Ｅ．１２．ｉ）
【００５３】
Ｇ）成分Ｈａｌｏｓｃｅｎｔ（登録商標）Ｉを含まない配合物（対照）
７９．５８０％  エタノール９６°
１９．３２０％  脱イオン水
０．１００％  香料原料＊
１．０００％  香料原料＊
ここで、その都度、それぞれ、一方の香料原料は非環式付香モノテルペン誘導体（０．１％）であり、他方の香料原料はムスク（１％）である：シトロネロール＋Ｒｏｍａｎｄｏｌｉｄｅ（登録商標）（Ｇ．１）、メチルシトラール＋Ｈｅｌｖｅｔｏｌｉｄｅ（登録商標）（Ｇ．２）。
【００５４】
Ｈ）成分ａ）Ｈａｌｏｓｃｅｎｔ（登録商標）Ｉを含む配合物
ａ）／ｂ）の比＝１／４．４４
７９．５８０％  エタノール９６°
１８．９７０％  脱イオン水
０．２２５％  Ｈａｌｏｓｃｅｎｔ  Ｉ
０．２２５％  ＴＥＡ
０．１００％  香料原料＊
１．０００％  香料原料＊
ここで、その都度、それぞれ、一方の香料原料は非環式付香モノテルペン誘導体（０．１％）であり、他方の香料原料はムスク（１％）である：シトロネロール＋Ｒｏｍａｎｄｏｌｉｌｄｅ（登録商標）（Ｇ．１．ｉ）、メチルシトラール＋Ｈｅｌｖｅｔｏｌｉｄｅ（登録商標）（Ｇ．２．ｉ）。
【００５５】
Ｉ）成分ａ）Ｈａｌｏｓｃｅｎｔ（登録商標）ＤおよびＨａｌｏｓｃｅｎｔ（登録商標）Ｉを含まない配合物（対照）
７９．５８０％  エタノール９６°
１９．４２０％  脱イオン水
１．０００％  香料原料＊
ここで、その都度、香料原料は、非環式付香モノテルペン誘導体、またはムスクのいずれかである：シトラール（Ｉ．１）、シトロネロール（Ｉ．２）、Ａｓｔｒｏｔｏｎｅ（Ｉ．３）、Ｅｘａｌｔｏｌｉｄｅ（登録商標）（Ｉ．４）、Ｒｏｍａｎｄｏｌｉｄｅ（登録商標）（Ｉ．５）、Ｈｅｌｖｅｔｏｌｉｄｅ（登録商標）（Ｉ．６）
【００５６】
Ｊ）成分ａ）Ｈａｌｏｓｃｅｎｔ（登録商標）ＤおよびＨａｌｏｓｃｅｎｔ（登録商標）Ｉを含む配合物
ａ）／ｂ）の比＝１／２．２２
７９．５８０％  エタノール９６°
１８．５２０％  脱イオン水
０．２２５％  Ｈａｌｏｓｃｅｎｔ（登録商標）Ｄ
０．２２５％  Ｈａｌｏｓｃｅｎｔ（登録商標）Ｉ
０．４５０％  ＴＥＡ
１．０００％  香料原料＊
ここで、その都度、香料原料は、非環式付香モノテルペン誘導体、またはムスクのいずれかである：シトラール（Ｉ．１．ｉ）、シトロネロール（Ｉ．２．ｉ）、Ａｓｔｒｏｔｏｎｅ（Ｉ．３．ｉ）、Ｅｘａｌｔｏｌｉｄｅ（登録商標）（Ｉ．４．ｉ）、Ｒｏｍａｎｄｏｌｉｄｅ（登録商標）（Ｉ．５．ｉ）、Ｈｅｌｖｅｔｏｌｉｄｅ（登録商標）（Ｉ．６．ｉ）
【００５７】
本発明の組成物の嗅覚的評価：
匂い強度について方向性のある指針を得るため、標準プロトコルを用いて試験を行った。組成物のアリコート（４０μｌ）を３２℃でガラス表面上に堆積し、以下の実施例に従って、異なる時間間隔後に、８〜１０人のパネリスト（フレグランス強度を評価するように訓練された）に７つのカテゴリー尺度（１＝匂いなし〜７＝非常に強い匂い）で試料のフレグランス強さを盲目評価するように求めた。結果を次にバランスのとれた設計（ラテン方格）に従って分析した。８人〜１０人のパネリストのデータを平均し、製品のペアによる得点差とパネリスト間の合意の度合いに基づいて結論を導き出す。
【００５８】
結果には３つの可能性があった：
１−２つの製品間に相違はない：２つの製品間の平均スコアの差が０．５未満であり、かつ／または評価者が自身の評価に合意していなかった。
２−２つの製品間の相違に関して方向性があった：２つの製品間に少なくとも０．５の平均スコアの差があり、かつ評価者間で良好な合意があった（すなわち、パネリストの６０％〜７０％が一方の試料が他方の試料よりも強力であることに合意し、かつパネリストの１５％以下がその逆の発言をした）
３−２つの製品間の相違に関して顕著な傾向があった：２つの製品間に少なくとも０．５の平均スコアの差があり、かつ評価者間で強い合意があった（すなわち、パネリストの７０％以上が一方の試料が別の試料よりも強力であることに合意している）
【００５９】
様々な評価時間での以下の平均匂い強度を下記表に報告する：
【表１】
0006671384.tif 000004
【表２】
0006671384.tif 000005
【表３】
0006671384.tif 000006
【表４】
0006671384.tif 000007
【表５】
0006671384.tif 000008
【表６】
0006671384.tif 000009
【表７】
0006671384.tif 000010
【表８】
0006671384.tif 000011
【表９】
0006671384.tif 000012
【表１０】
0006671384.tif 000013
【００６０】
本発明の組成物は、その都度、非環式付香モノテルペン誘導体単独よりも、ムスクまたは別の非環式付香モノテルペン誘導体または任意の成分のいずれかと一緒になってより良好に働くことが分かる。成分ａ）の代わりに、類似の化合物（すなわち、対応する香料原料）を使用する場合、効果はもはや見られない。
【００６１】
実施例２
本発明による付香組成物の調製
ａ）オードトワレを調製するための配合香料Ａ．１）を、以下の成分を混合することによって調製した：
【表１１】
0006671384.tif 000014
１）６２ｗ／ｗ％の化合物ｂ）を含有する
２）６．６ｗ／ｗ％の化合物ｂ）を含有する
３）配合香料ベースは６０ｗ／ｗ％の化合物ｂ）を含有する；製造元：フィルメニッヒ
４）ジプロピレングリコール中１％の２，６−ジ−ｔｅｒｔ−ブチル−４−メチルフェノール
５）メチルジヒドロジャスモネート；製造元：フィルメニッヒＳＡ、ジュネーブ、スイス
６）６６ｗ／ｗ％の化合物ｂ）を含有する
７）３−メチル−５−シクロペンタデセン−１−オン；製造元：フィルメニッヒＳＡ、ジュネーブ、スイス
８）（１Ｓ，１’Ｒ）−［１−（３’，３’−ジメチル−１’−シクロヘキシル）エトキシカルボニル］メチルプロパノエート；製造元：フィルメニッヒＳＡ、ジュネーブ、スイス
９）３．４ｗ／ｗ％の化合物ｂ）を含有する
【００６２】
第２の配合香料Ａ．２）を、同じ成分を混合するが、２．２５％のＤＩＰＧラインを２．２５％の３−（ドデシルチオ）−１−（２，６，６−トリメチルシクロヘキサ−３−エン−１−イル）ブタン−１−オンで置き換えることによって得た。したがって、前記香料Ａ．２）は、ａ）／ｂ）の比が１／１６でありかつ任意成分）／ｂ）の比が１／１．７であることを特徴としていた。
【００６３】
次に前記Ａ．１）、Ａ．２）をそれぞれ１０ｗ／ｗ％でエタノール／水混合物（７９．６ｗ／ｗ％のエタノールおよび１０．４２ｗ／ｗ％の脱イオン水）中に希釈（オーデコロン）し、それぞれ、オーデコロンＡ．ｃ．１）およびＡ．ｃ．２）を得た。次に前記オーデコロン２０μｌを実施例１に記載したのと同じパネルプロトコルに従って評価し、その結果を以下の表に報告する。
【表１２】
0006671384.tif 000015
【００６４】
以上のように、本発明の付香組成物は、少なくとも適用から少なくとも１５分〜３時間の間で有意な改善を示した。
【００６５】
Ｅａｕ  Ｆｒａｉｃｈｅ  Ａ．１）およびＡ．２）の同じオードトワレ試料を定量的記述分析法（ＱＤＡ）で評価した。香りの特性を記載して定量化するためにＱＤＡを使用し、共感性の語彙と直線的な線の目盛を使用して説明的な評価を提供する。８人〜１２人のパネリストを複雑な知覚業務のために選抜して訓練する。この方法論は、言葉の表現を得るための繰り返し作業に基づいており、ここで属性は全てパネリストから導かれる。次に属性を定義し、参考資料を評価に使用する。パネリスト１人当たり１試料につき３つの完全な複製を行う。ＱＤＡは、０〜１０の数値に変換される１０ｃｍの半構造化ライン強度目盛りを使用する。
【表１３】
0006671384.tif 000016
【００６６】
スコアの意味でデルタが０．８以上の場合には有意差があるとする。レモンノートは、２時間の蒸発後、Ｈａｌｏｓｃｅｎｔ（登録商標）Ｄと共にかなり強く感じられる。中間の時間（４時間）では、シトラスノート（レモン＆ベルガーモット）、フルーツノート（ライチ）およびフローラルノート（ピオニー）も、Ｈａｌｏｓｃｅｎｔ（登録商標）Ｄを含まないＥａｕ  Ｆｒａｉｃｈｅと比べてＨａｌｏｓｃｅｎｔ（登録商標）Ｄを含むＥａｕ  Ｆｒａｉｃｈｅにおいてより強かった。
【００６７】
ｂ）オードトワレを調製するための配合香料Ｂ．１）を、以下の成分を混合することによって調製した：
【表１４】
0006671384.tif 000017
１）６２ｗ／ｗ％の化合物ｂ）を含有する
２）配合香料ベースは、６０ｗ／ｗ％の化合物ｂ）を含有する；製造元：フィルメニッヒ
３）ジプロピレングリコール中１％の２，６−ジ−ｔｅｒｔ−ブチル−４−メチルフェノール
４）ペンタデセノリド；製造元：フィルメニッヒＳＡ、ジュネーブ、スイス
５）メチルジヒドロジャスモネート；製造元：フィルメニッヒＳＡ、ジュネーブ、スイス
６）メチルジヒドロジャスモネート（高シス）；製造元：フィルメニッヒＳＡ、ジュネーブ、スイス
７）１−（オクタヒドロ−２，３，８，８−テトラメチル−２−ナフタレニル）−１−エタノン；製造元：インターナショナルフレーバー＆フレグランス、米国
８）３−メチル−５−シクロペンタデセン−１−オン；製造元：フィルメニッヒＳＡ、ジュネーブ、スイス
９）４０ｗ／ｗ％の化合物ｂ）を含有する
【００６８】
第２の配合香料Ｂ．２）を、同じ成分を混合するが、２．２５％のＤＩＰＧラインを２．２５％の３−（ドデシルチオ）−１−（２，６，６−トリメチルシクロヘキサ−３−エン−１−イル）ブタン−１−オンで置き換えることによって得た。
【００６９】
したがって、前記香料Ｂ．２）は、ａ）／ｂ）の比が１／１３．８であり、かつ任意成分）／ｂ）の比が１．２／１であることを特徴としていた。
【００７０】
第３の配合香料Ｂ．３）を、同じ成分を混合するが、０．２２５％のＤＩＰＧラインを０．２２５％の３−（ドデシルチオ）−１−（２，６，６−トリメチルシクロヘキサ−３−エン−１−イル）ブタン−１−オンで置き換えることによって得た。
【００７１】
第４の配合香料Ｂ．４）を、同じ成分を混合するが、０．２２５％のＤＩＰＧラインを０．２２５％の４−（ドデシルチオ）−４−（２，６，６−トリメチルシクロヘキサ−２−エン−１−イル）ブタン−２−オン（Ｈａｌｏｓｃｅｎｔ（登録商標）Ｉ）で置き換えることによって得た。
【００７２】
次に前記Ｂ．１）、Ｂ．２）、Ｂ．３）、Ｂ．４）をそれぞれ１０ｗ／ｗ％でエタノール／水混合物（７９．６ｗ／ｗ％のエタノールおよび１０．４２ｗ／ｗ％の脱イオン水）中に希釈（オーデコロン）し、それぞれ、オーデコロンＢ．ｃ．１）、Ｂ．ｃ．２）、Ｂ．ｃ．３）およびＢ．ｃ．４）を得た。次に前記オーデコロン２０μｌを実施例１に記載したのと同じパネルプロトコルに従って評価し、その結果を以下の表に報告する。
【００７３】
【表１５】
0006671384.tif 000018
以上のように、本発明の付香組成物は、適用から少なくとも３時間〜５時間の間で有意な改善を示した。
【００７４】
【表１６】
0006671384.tif 000019
以上のように、本発明の付香組成物は、適用から４時間〜８時間で方向性のある改善を示した。
【００７５】
【表１７】
0006671384.tif 000020
以上のように、本発明の付香組成物は、適用から４時間〜８時間の間に顕著な改善を示した。
【００７６】
ｃ）オードトワレを調製するための配合香料Ｃ．１）を以下の成分を混合することによって調製した：
【表１８】
0006671384.tif 000021
１）６２ｗ／ｗ％の化合物ｂ）を含有する
２）６．６ｗ／ｗ％の化合物ｂ）を含有する
３）配合香料ベースは、６０ｗ／ｗ％の化合物ｂ）を含有する；製造元：フィルメニッヒ
４）ジプロピレングリコール中１％の２，６−ジ−ｔｅｒｔ−ブチル−４−メチルフェノール
５）メチルジヒドロジャスモネート；製造元：フィルメニッヒＳＡ、ジュネーブ、スイス
６）３−メチル−５−シクロペンタデセン−１−オン；製造元：フィルメニッヒＳＡ、ジュネーブ、スイス
７）（１Ｓ，１’Ｒ）−［１−（３’，３’−ジメチル−１’−シクロヘキシル）エトキシカルボニル］メチルプロパノエート；製造元：フィルメニッヒＳＡ、ジュネーブ、スイス
【００７７】
第２の配合香料Ｃ．２）を、同じ成分を混合するが、２．２５％のＤＩＰＧラインを２．２５％の３−（ドデシルチオ）−１−（２，６，６−トリメチルシクロヘキサ−３−エン−イル）ブタン−１−オンで置き換えることによって得た。
【００７８】
したがって、前記香料Ｃ．２）は、ａ）／ｂ）の比が１／１７．７であり、かつ任意成分）／ｂ）の比が１／１．６であることを特徴としていた。
【００７９】
第３の配合香料Ｃ．３）を、同じ成分を混合するが、０．８３％のＤＩＰＧラインを０．８３％のデルタダマスコンで置き換えることによって得た。
【００８０】
第４の配合香料Ｃ．４）を、同じ成分を混合するが、２．２５％のＤＩＰＧラインを２．２５％の４−（ドデシルチオ）−４−（２，６，６−トリメチルシクロヘキサ−２−エン−１−イル）ブタン−２−オン（Ｈａｌｏｓｃｅｎｔ（登録商標）Ｉ）で置き換えることによって得た。
【００８１】
次に前記Ｃ．１）、Ｃ．２）、Ｃ．３）、Ｃ．４）をそれぞれ１０ｗ／ｗ％でエタノール／水混合物（７９．６ｗ／ｗ％のエタノールおよび１０．４２ｗ／ｗ％の脱イオン水）中に希釈（オーデコロン）し、それぞれ、オーデコロンＣ．ｃ．１）、Ｃ．ｃ．２）、Ｃ．ｃ．３）およびＣ．ｃ．４）を得た。前記オーデコロン２０μｌを実施例１に記載したのと同じパネルプロトコルに従って評価し、その結果を以下の表に報告する。
【００８２】
【表１９】
0006671384.tif 000022
以上のように、本発明の付香組成物は、適用から少なくとも２時間〜８時間の間に顕著な改善を示した。成分ａ）の代わりに、類似の化合物（すなわち、対応する香料原料）を使用する場合、効果はもはや見られない。
【００８３】
【表２０】
0006671384.tif 000023
以上のように、本発明の付香組成物は、適用から少なくとも２時間で顕著な改善を示した。
【００８４】
ＢＱコロンＣ．１）およびＣ．２）の同じオードトワレ試料を、上記の実施例ａ）に記載される通りに定量的記述分析法（ＱＤＡ）により評価した。
【００８５】
【表２１】
0006671384.tif 000024
適用から１５分後、オードトワレ中のＣ．２は、ムスク属性においてＣ．１を超える強度に方向性のある改善を示した。２時間後、Ｃ．２はシトラス属性の強度についてＣ．１を上回る顕著な改善を示した。８時間後、Ｃ．２はウッディーおよびムスク属性の両方においてＣ．１を上回る顕著な改善を示した。
【００８６】
Ｈａｌｏｓｃｅｎｔ（登録商標）Ｄを対照に添加すると、混合物全体の強度の大幅な改善に影響を及ぼすだけでなく、香りのトップノート（シトラス）およびボトムノート（ウッディー、ムスク）を調節することが可能であることが上記から明らかである。
【００８７】
ｄ）オードトワレを調製するための配合香料Ｄ．１）を、以下の成分を混合することによって調製した：
【表２２】
0006671384.tif 000025
１）６．６ｗ／ｗ％の化合物ｂ）を含有する
２）ジプロピレングリコール中１％の２，６−ジ−ｔｅｒｔ−ブチル−４−メチルフェノール
３）１−（オクタヒドロ−２，３，８，８−テトラメチル−２−ナフタレニル）−１−エタノン；製造元：インターナショナルフレーバー＆フレグランス、米国
４）６６ｗ／ｗ％の化合物ｂ）を含有する
５）０．３０ｗ／ｗ％の化合物ｂ）を含有する
６）（１Ｓ，１’Ｒ）−［１−（３’，３’−ジメチル−１’−シクロヘキシル）エトキシカルボニル］メチルプロパノエート；製造元：フィルメニッヒＳＡ、ジュネーブ、スイス
【００８８】
第２の配合香料Ｄ．２）を、同じ成分を混合するが、２．２５％のＤＩＰＧラインを２．２５％の３−（ドデシルチオ）−１−（２，６，６−トリメチルシクロヘキサ−３−エン−１−イル）ブタン−１−オンで置き換えることによって得た。
【００８９】
したがって、前記香料Ｄ．２）は、ａ）／ｂ）の比が１／１８であり、かつ任意成分）／ｂ）の比が１／７．５であることを特徴としていた。
【００９０】
第３の配合香料Ｄ．３）を、同じ成分を混合するが、０．８３％のＤＩＰＧラインを０．８３％のデルタダマスコンで置き換えることによって得た。
【００９１】
第４の配合香料Ｄ．４）を、同じ成分を混合するが、２．２５％のＤＩＰＧを２．２５％のデルタダマスコンで置き換えることによって得た。
【００９２】
次に前記Ｄ．１）、Ｄ．２）、Ｄ．３）、Ｄ．４）をそれぞれ１０ｗ／ｗ％でエタノール／水混合物（７９．６ｗ／ｗ％のエタノールおよび１０．４２ｗ／ｗ％の脱イオン水）中に希釈（オーデコロン）し、それぞれ、オーデコロンＤ．ｄ．１）、Ｄ．ｄ．２）、Ｄ．ｄ．３）およびＤ．ｄ．４）を得た。次に前記オーデコロン２０μｌを実施例１に記載したのと同じパネルプロトコルに従って評価し、その結果を以下の表に報告する。
【００９３】
【表２３】
0006671384.tif 000026
以上のように、本発明の付香組成物は、適用から少なくとも０時間〜４時間の間に顕著な改善を示した。成分ａ）の代わりに、類似の化合物（すなわち、対応する香料原料）を使用する場合、効果はもはや見られない。
【００９４】
ｅ）オードトワレを調製するための配合香料Ｅ．１）を、以下の成分を混合することによって調製した：
【表２４】
0006671384.tif 000027
１）パチュリ油のテルペン画分；製造元：フィルメニッヒＳＡ、ジュネーブ、スイス
２）１−（オクタヒドロ−２，３，８，８−テトラメチル−２−ナフタレニル）−１−エタノン；製造元：インターナショナルフレーバー＆フレグランス、米国
３）配合香料ベースは６０ｗ／ｗ％の化合物ｂ）を含有する；製造元：フィルメニッヒ
４）配合香料ベース；製造元：フィルメニッヒ
【００９５】
第２の配合香料Ｅ．２）を、同じ成分を混合するが、２．２５％のＤＩＰＧラインを２．２５％の３−（ドデシルチオ）−１−（２，６，６−トリメチルシクロヘキサ−３−エン−１−イル）ブタン−１−オンで置き換えることによって得た。ａ／ｂの比＝１／１１．７；任意／ｂの比＝１．４５／１。
【００９６】
第３の配合香料Ｅ．３）を、同じ成分を混合するが、２．２５％のＤＩＰＧラインを２．２５％の４−（ドデシルチオ）−４−（２，６，６−トリメチルシクロヘキサ−２−エン−１−イル）ブタン−２−オン（Ｈａｌｏｓｃｅｎｔ（登録商標）Ｉ）で置き換えることによって得た。ａ／ｂの比＝１／１１．７；任意／ｂの比＝１．４５／１。
【００９７】
第４の配合香料Ｅ．４）を、同じ成分を混合するが、４．５０％のＤＩＰＧラインを２．２５％の３−（ドデシルチオ）−１−（２，６，６−トリメチルシクロヘキサ−３−エン−１−イル）ブタン−１−オンおよび２．２５％の４−（ドデシルチオ）−４−（２，６，６−トリメチルシクロヘキサ−２−エン−１−イル）ブタン−２−オン（Ｈａｌｏｓｃｅｎｔ（登録商標）Ｉ）で置き換えることによって得た。
【００９８】
次に前記Ｅ．１）、Ｅ．２）、Ｅ．３）、Ｅ．４）をそれぞれ１０ｗ／ｗ％でエタノール／水混合物（７９．６ｗ／ｗ％のエタノールおよび１０．４２ｗ／ｗ％の脱イオン水）中に希釈（オーデコロン）し、それぞれ、オーデコロンＥ．ｅ．１）、Ｅ．ｅ．２）、Ｅ．ｅ．３）およびＥ．ｅ．４）を得た。次に前記オーデコロン２０μｌを実施例１に記載したのと同じパネルプロトコルに従って評価し、その結果を以下の表に報告する。
【００９９】
【表２５】
0006671384.tif 000028
以上のように、本発明の付香組成物は、適用から少なくとも８時間で顕著な改善を示した。
【０１００】
【表２６】
0006671384.tif 000029
以上のように、本発明の付香組成物は、適用から少なくとも１５分〜２時間の間に顕著な改善を示した。
【０１０１】
【表２７】
0006671384.tif 000030
以上のように、本発明の付香組成物は、適用から少なくとも４時間で顕著な改善を示した。
【０１０２】
Ｅ．１）およびＥ．２）の同じオードトワレ試料を、上記の実施例ａ）に記載されるように定量的記述分析法（ＱＤＡ）で評価した。
【表２８】
0006671384.tif 000031
【０１０３】
２時間後、Ｅ．２はフローラル属性の強度においてＥ．１を上回る顕著な改善を示した。８時間後、Ｅ．２はフローラル属性においてＥ．１を上回る顕著な改善、およびムスク属性の強度において方向性のある改善を示した。
【０１０４】
Ｈａｌｏｓｃｅｎｔ（登録商標）Ｄを対照に添加すると、混合物全体の強度の大幅な改善に影響を及ぼすだけでなく、香りのノート（フローラル、ムスク）を調節することが可能であることが上記から明らかである。